(57)【要約】【課題】携帯電話機は小型化されスペース的な制約で放熱対策を行うことが難しい。【解決手段】携帯通信機本体は上筐体１と下筐体２によって構成され、内部にはプリント基板３が設置されており、プリント基板３には電子部品４、キーシート５、およびボタン６が実装され、電子部品の表面には放熱板７の一端部が取り付けられており、もう一方の端部はピン８に取り付けられて、ピンにはハンドストラップ９が装着され、電子部品が動作したことにより発生した熱は電子部品の表面に取り付けられた放熱板を介してピンへ伝え、ピンに装着されたハンドストラップに伝わり筐体の外部に放熱し、熱伝導性に優れた材料でありしかも材料に被覆をしないで放熱効果を上げたハンドストラップを、ピンに装着した携帯通信機の放熱構造を構成することにより、特別な放熱構造を設けることなく、筐体表面温度による操作時の不快感を解消する携帯通信機および放熱方法を提供できる。【選択図】      図１
2005244493.tif 000002
【特許請求の範囲】
【請求項１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたハンドストラップに伝わりハンドストラップから筐体の外部に放熱されることを特徴とする携帯通信機。
【請求項２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたハンドストラップに伝わりハンドストラップから筐体の外部に放熱されることを特徴とする携帯通信機。
【請求項３】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたカーボン繊維材で構成されたハンドストラップに伝わりカーボン繊維材で構成されたハンドストラップから筐体の外部に放熱されることを特徴とする携帯通信機。
【請求項４】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはシリンダピース付きのハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたシリンダピース付きのハンドストラップに伝わりシリンダピース付きのハンドストラップから筐体の外部に放熱されることを特徴とする携帯通信機。
【請求項５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのハンドストラップに伝わりシリンダピース付きのハンドストラップから筐体の外部に放熱されることを特徴とする携帯通信機。
【請求項６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機。
【請求項７】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはハンドストラップを取り付け、
携帯通信機の電源オン時には電子部品が動作し、電子部品が動作したことにより発生した熱は電子部品の表面に取り付けられた放熱板を介してハンドストラップへ伝わり、ハンドストラップから筐体の外部に放熱されることを特徴とする携帯通信機。
【請求項８】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはハンドストラップを取り付け、
携帯通信機の電源オン時には電子部品が動作し、電子部品が動作したことにより発生した熱は電子部品の表面に取り付けられた金属材の放熱板を介してハンドストラップへ伝わり、ハンドストラップから筐体の外部に放熱されることを特徴とする携帯通信機。
【請求項９】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機。
【請求項１０】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機。
【請求項１１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機。
【請求項１２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたハンドストラップに伝わりハンドストラップから筐体の外部に放熱されることを特徴とする携帯通信機。
【請求項１３】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたカーボン繊維材で構成されたハンドストラップに伝わりカーボン繊維材で構成されたハンドストラップから筐体の外部に放熱されることを特徴とする携帯通信機。
【請求項１４】
携帯通信機本体は上筐えのきどすすむ体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのハンドストラップに伝わりシリンダピース付きのハンドストラップから筐体の外部に放熱されることを特徴とする携帯通信機。
【請求項１５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機。
【請求項１６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはハンドストラップを取り付け、
携帯通信機の電源オン時には電子部品が動作し、電子部品が動作したことにより発生した熱は電子部品の表面に取り付けられた銅材の放熱板を介してハンドストラップへ伝わり、ハンドストラップから筐体の外部に放熱されることを特徴とする携帯通信機。
【請求項１７】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機。
【請求項１８】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機。
【請求項１９】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたハンドストラップに伝わりハンドストラップから筐体の外部に放熱されることを特徴とする携帯通信機。
【請求項２０】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたカーボン繊維材で構成されたハンドストラップに伝わりカーボン繊維材で構成されたハンドストラップから筐体の外部に放熱されることを特徴とする携帯通信機。
【請求項２１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのハンドストラップに伝わりシリンダピース付きのハンドストラップから筐体の外部に放熱されることを特徴とする携帯通信機。
【請求項２２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機。
【請求項２３】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはハンドストラップを取り付け、
携帯通信機の電源オン時には電子部品が動作し、電子部品が動作したことにより発生した熱は電子部品の表面に取り付けられたアルミニウム材の放熱板を介してハンドストラップへ伝わり、ハンドストラップから筐体の外部に放熱されることを特徴とする携帯通信機。
【請求項２４】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機。
【請求項２５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機。
【請求項２６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたハンドストラップに伝わりハンドストラップから筐体の外部に放熱されることを特徴とする携帯通信機。
【請求項２７】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたカーボン繊維材で構成されたハンドストラップに伝わりカーボン繊維材で構成されたハンドストラップから筐体の外部に放熱されることを特徴とする携帯通信機。
【請求項２８】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのハンドストラップに伝わりシリンダピース付きのハンドストラップから筐体の外部に放熱されることを特徴とする携帯通信機。
【請求項２９】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機。
【請求項３０】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはハンドストラップを取り付け、
携帯通信機の電源オン時には電子部品が動作し、電子部品が動作したことにより発生した熱は電子部品の表面に取り付けられたセラミックス材の放熱板を介してハンドストラップへ伝わり、ハンドストラップから筐体の外部に放熱されることを特徴とする携帯通信機。
【請求項３１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機。
【請求項３２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機。
【請求項３３】
シリンダピースとハンドストラップの取り付を構造をカシメにより行うことを特徴とする請求項４、５、６、１４、１５、２１、２２、２８、および２９記載の携帯通信機。
【請求項３４】
放熱板とハンドストラップの取り付を構造をカシメにより行うことを特徴とする請求項７、８、９、１６、１７、２３、２４、３０、および３１記載の携帯通信機。
【請求項３５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたハンドストラップに伝わりハンドストラップから筐体の外部に放熱されることを特徴とする携帯通信機の放熱方法。
【請求項３６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたハンドストラップに伝わりハンドストラップから筐体の外部に放熱されることを特徴とする携帯通信機の放熱方法。
【請求項３７】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたカーボン繊維材で構成されたハンドストラップに伝わりカーボン繊維材で構成されたハンドストラップから筐体の外部に放熱されることを特徴とする携帯通信機の放熱方法。
【請求項３８】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはシリンダピース付きのハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたシリンダピース付きのハンドストラップに伝わりシリンダピース付きのハンドストラップから筐体の外部に放熱されることを特徴とする携帯通信機の放熱方法。
【請求項３９】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのハンドストラップに伝わりシリンダピース付きのハンドストラップから筐体の外部に放熱されることを特徴とする携帯通信機の放熱方法。
【請求項４０】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【請求項４１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはハンドストラップを取り付け、
携帯通信機の電源オン時には電子部品が動作し、電子部品が動作したことにより発生した熱は電子部品の表面に取り付けられた放熱板を介してハンドストラップへ伝わり、ハンドストラップから筐体の外部に放熱されることを特徴とする携帯通信機の放熱方法。
【請求項４２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはハンドストラップを取り付け、
携帯通信機の電源オン時には電子部品が動作し、電子部品が動作したことにより発生した熱は電子部品の表面に取り付けられた金属材の放熱板を介してハンドストラップへ伝わり、ハンドストラップから筐体の外部に放熱されることを特徴とする携帯通信機の放熱方法。
【請求項４３】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【請求項４４】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【請求項４５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【請求項４６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたハンドストラップに伝わりハンドストラップから筐体の外部に放熱されることを特徴とする携帯通信機の放熱方法。
【請求項４７】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたカーボン繊維材で構成されたハンドストラップに伝わりカーボン繊維材で構成されたハンドストラップから筐体の外部に放熱されることを特徴とする携帯通信機の放熱方法。
【請求項４８】
携帯通信機本体は上筐えのきどすすむ体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのハンドストラップに伝わりシリンダピース付きのハンドストラップから筐体の外部に放熱されることを特徴とする携帯通信機の放熱方法。
【請求項４９】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【請求項５０】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはハンドストラップを取り付け、
携帯通信機の電源オン時には電子部品が動作し、電子部品が動作したことにより発生した熱は電子部品の表面に取り付けられた銅材の放熱板を介してハンドストラップへ伝わり、ハンドストラップから筐体の外部に放熱されることを特徴とする携帯通信機の放熱方法。
【請求項５１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【請求項５２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【請求項５３】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたハンドストラップに伝わりハンドストラップから筐体の外部に放熱されることを特徴とする携帯通信機の放熱方法。
【請求項５４】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたカーボン繊維材で構成されたハンドストラップに伝わりカーボン繊維材で構成されたハンドストラップから筐体の外部に放熱されることを特徴とする携帯通信機の放熱方法。
【請求項５５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのハンドストラップに伝わりシリンダピース付きのハンドストラップから筐体の外部に放熱されることを特徴とする携帯通信機の放熱方法。
【請求項５６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【請求項５７】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはハンドストラップを取り付け、
携帯通信機の電源オン時には電子部品が動作し、電子部品が動作したことにより発生した熱は電子部品の表面に取り付けられたアルミニウム材の放熱板を介してハンドストラップへ伝わり、ハンドストラップから筐体の外部に放熱されることを特徴とする携帯通信機の放熱方法。
【請求項５８】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【請求項５９】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【請求項６０】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたハンドストラップに伝わりハンドストラップから筐体の外部に放熱されることを特徴とする携帯通信機の放熱方法。
【請求項６１】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたカーボン繊維材で構成されたハンドストラップに伝わりカーボン繊維材で構成されたハンドストラップから筐体の外部に放熱されることを特徴とする携帯通信機の放熱方法。
【請求項６２】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのハンドストラップに伝わりシリンダピース付きのハンドストラップから筐体の外部に放熱されることを特徴とする携帯通信機の放熱方法。
【請求項６３】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【請求項６４】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはハンドストラップを取り付け、
携帯通信機の電源オン時には電子部品が動作し、電子部品が動作したことにより発生した熱は電子部品の表面に取り付けられたセラミックス材の放熱板を介してハンドストラップへ伝わり、ハンドストラップから筐体の外部に放熱されることを特徴とする携帯通信機の放熱方法。
【請求項６５】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【請求項６６】
携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【請求項６７】
シリンダピースとハンドストラップの取り付を構造をカシメにより行うことを特徴とする請求項３８、３９、４０、４８、４９、５５、５６、６２、および６３記載の携帯通信機の放熱方法。
【請求項６８】
放熱板とハンドストラップの取り付を構造をカシメにより行うことを特徴とする請求項４１、４２、４３、５０、５１、５７、５８、６４、および６５記載の携帯通信機の放熱方法。
【発明の詳細な説明】
【技術分野】
【０００１】
本発明は携帯通信機および携帯通信機の放熱方法に関し、特に高発熱体を内蔵する携帯通信機の放熱構造において、従来の構造に特別な放熱構造を設けることなく、筐体表面温度による操作時の不快感を解消する携帯通信機および携帯通信機の放熱方法に関する。
【背景技術】
【０００２】
携帯電話機に代表される携帯通信機は、高機能および高性能化に伴って携帯通信機の内部に実装される電子部品の消費電力が増加し、結果として機器全体の温度上昇が問題となっている。
【０００３】
このような温度上昇を防ぐために、パーソナルコンピュータ等の電子機器では、筐体内部の熱を外部に放熱するため、発熱量の多い電子部品に放熱用の金属製ヒートシンクやファンを取り付けて放熱を行っている。
【０００４】
しかしながら近年の携帯電話機は非常に小型化されており、スペース的な制約でパーソナルコンピュータのような放熱対策を行うことが難しい。
【０００５】
従来の技術として、特開２００２−２８０７７４号公報がある（特許文献１参照。）。
【０００６】
これは、筐体を介して熱を放出するよりもさらに放熱効率を上げることができる電子機器であり、筐体内の熱を外部に放熱する放熱部を有する電子機器であり、放熱部は、筐体内に密着して配置された熱伝導部材と、熱伝導部材に熱的に接続され、筐体の外部に位置している外部熱伝導部材を備えている。
【０００７】
放熱部は、筐体内に密着して配置された熱伝導部材と、熱伝導部材に熱的に接続され、筐体の外部に位置している外部熱伝導部材と、を備え、熱伝導部材は筐体内に密着して配置されている。
【０００８】
これにより熱伝導部材は、筐体内の熱を筐体を通じて外部に放出することができる。
【０００９】
外部熱伝導部材は、熱伝導部材に熱的に接続されており、筐体の外部に位置されていることにより、熱伝導部材の熱を筐体の外部に放出することができる。
【００１０】
これにより、熱伝導部材を筐体内に配した電子機器に比べて、さらに電子機器の筐体内の熱を熱伝導部材を通じてさらに効率よく放熱することができる。
【００１１】
外部熱伝導部材は、被覆部材により被覆されている。
【００１２】
筐体の上部には、ストラップが取り付けられている。このストラップは、使用者が手もしくは指を通すことにより、携帯電話を落とすことなく保持するためのものである。
【００１３】
このストラップは、たとえば手や指を通すための穴を有しており、ループ状のものである。
【００１４】
筐体は、フロント部とリヤ部を組み合わせて構成されており、筐体の内部空間の中には、回路基板と、熱伝導部材が収容されている。
【００１５】
フロント部とリヤ部は、熱伝導性を高めるために、熱伝導性に優れたたとえば金属材料であるＣｕやＡｌ等により作られている。
【００１６】
フロント部とリヤ部は、金属以外の熱伝導材料として、セラミックス系のＡｌＮやＡＢＳ（アクリロニトリルブタジエンスチレン）樹脂により作ることもできる。
【００１７】
筐体の内部空間の中には、上述したように回路基板と熱伝導部材が収容されている。
【００１８】
回路基板は、各種の発熱素子が配置されている。これらの発熱素子は、たとえばＣＰＵ（中央処理装置）やトランジスタあるいはその他の発熱体である。
【００１９】
この回路基板は、携帯電話の各種の機能を実現するための電子回路を有し、筐体の内部空間の長手方向に沿って平行にしかも中央に配置されている。
【００２０】
フロント部の内面の好ましくは全面にわたって、熱伝導部材が密着してたとえば接着剤等により固定されている。
【００２１】
同様にしてリヤ部の内面の好ましくは全面にわたって、べつの熱伝導部材がたとえば接着剤等により密着して固定されている。
【００２２】
熱伝導部材は、別の熱伝導部材により熱的に接続されている。熱伝導部材も、筐体の内面に対して密着して接着剤等により固定されている。
【００２３】
このように熱伝導部材と熱伝導部材を筐体の内面に密着して配置することにより、発熱体である発熱素子の熱は、熱伝導部材を介して筐体のフロント部とリヤ部に対して直接熱伝導することができる。
【００２４】
これにより発熱素子の熱は効率よく筐体の外部に放熱できる。筐体の一端部には、ストラップが機械的に接続されている。
【００２５】
ストラップは、外部熱伝導部材と、この外部熱伝導部材を被覆する被覆材を有している。
【００２６】
上述した熱伝導部材と熱伝導部材および外部熱伝導部材は、同じ材質であって熱伝導性に優れたもので作られており、放熱部を構成している。熱伝導部材および外部熱伝導部材の材質としては、金属である場合にはたとえばＣｕ、Ａｌ等であり、その他にシリコン系熱伝導シートやカーボン系の熱伝導シートを採用することができる。
【００２７】
シリコン系の熱伝導シートとしては、シリコンゴムにＡｌＮの微粒粉を混合したものなどがある。カーボン系の熱伝導シートとしては、グラファイトシート、膨張黒鉛シート、グラファイト焼結体を固めたものなどがある。
【００２８】
外部熱伝導部材は、ループ状に形成されており、外部熱伝導部材は被覆材により全体的に被覆されている。外部熱伝導部材の２つの端部は、筐体のフロント部とリヤ部の穴にはまり込んでおり、２つの端部は熱伝導部材に対して熱的に機械的に接続されている。
【００２９】
これにより筐体内の発熱素子の熱は、熱伝導部材を介して筐体を通じて外部に放熱されるばかりでなく、外部熱伝導部材によりストラップからも外部に放熱することができる。
【００３０】
このために、発熱素子の熱は従来に比べてさらに広い放熱面積を用いて効率よく放熱することができる。
【００３１】
被覆材の材質としては、好ましくはフレキシブルな柔らかい外部熱伝導部材を水やほこりから保護するために、好ましくは高分子等のラミネート材を採用することができる。
【００３２】
このラミネート材としては、ＰＥ（ポリエチレン）、ＰＰ（ポリプロピレン）、ＰＥＴ（ポリエチレンテレフタレート）、ＰＩ（ポリイミド）等の熱可塑性樹脂でヒートシールができるものなら特に限定されるものではない。
【００３３】
以上説明したように、筐体を介して熱を放出するよりもさらに放熱効率を上げることができる。
【００３４】
また、従来の技術として、特開２００２−１６４９７５号公報がある（特許文献２参照。）。
【００３５】
これは、携帯電話機において、使用時の筐体の温度上昇を抑制し、不快感を無くすようにしたもので、アンテナ材に熱伝達に優れたヒートパイプを用いる事で、筐体から発生した熱を筐体から離れた位置にあるアンテナ先端部から熱を放出させる事により、筐体の温度上昇を抑制し、使用時の不快感を無くす。
【００３６】
携帯電話機は筐体に固定された受話部（スピーカー）、送話部（マイク）、操作部、表示部と使用時に引出されるアンテナ部より成っていて、使用時に引出されるアンテナ部の末端部は接触により回路基板と電気的に接続し、回路基板内の配線を経由して回路基板に実装された集積回路素子や回路素子に受信した信号を伝える。
【００３７】
また逆に回路素子からの信号を発振する。回路基板上の回路素子は送受話、無線通信、電子メール機能、インターネットからの情報の処理と表示、動画や音楽のデータ処理等の機能を有する。
【００３８】
受話部、送話部、操作部、表示部は全て回路基板に、はんだ付けやコネクタ等の技術を用いて回路基板に電気的に接続される。
【００３９】
アンテナ部の材料には従来の金属材料に替え、ヒートパイプが用いられている。
【００４０】
ヒートパイプとは内壁に縦方向の溝や多孔質構造（ウイック）を設けた金属パイプの中に、減圧下で、所定の温度で気化する液体（以下、作動液という）を適量封入したものである。
【００４１】
ヒートパイプは作動液が高温端（蒸発端と呼ばれる）で熱を吸収して気化し、低温端（凝縮端と呼ばれる）に移動し、潜熱を放出して凝縮する事により、通常の良熱導体材料よりも、高効率で熱伝達を達成するものである。
【００４２】
低温端で凝縮した作動液は、縦方向の溝や多孔質構造（ウイック）の毛細管現象により、再び高温端に移動し、再び熱を吸収し蒸発するサイクルを繰り返すので、高効率の熱伝達が永続する。
【００４３】
その結果ヒートパイプは、どの固体材料よりも優れた熱伝導性を示す。
【００４４】
携帯電話機は以上の様に構成されているので、アンテナ部は本来のアンテナとしての機能の他に、ヒートパイプの優れた熱伝導性を利用し、筐体内部の回路で発生した熱を、アンテナ先端で外気に放出させ、筐体の温度上昇を抑制する作用を持つ。
【００４５】
さらに、放熱部は引出されたアンテナ先端筐体より離れているため使用時の不快感を低減する事が可能なものである。
【００４６】
また、筐体からヒートパイプへの熱伝達の効率を上げ、上記効果を向上させる事も可能である。
【００４７】
例えばアンテナ末端部、すなわちヒートパイプの高温端と筐体内部の回路基板の発熱部を、良熱伝導体で熱的に接続させ放熱効果を上げる事が可能である。
【００４８】
良熱伝導体としては熱伝導率の高い金属ブロック、箔や熱伝導エラストマ、ヒートパイプ等の如何なる材料、方式を用いても良い。またペルチェ素子の様な機能性素子を用いても良い。
【００４９】
またアンテナ先端、すなわちヒートパイプの低温端に放熱フィンを取り付け、放熱効果を上げる事が可能である。
【００５０】
更にアンテナ先端からの方熱効率を上げ、上記効果を向上させる事も可能である。
【００５１】
例えばアンテナ先端、すなわちヒートパイプの低温端の表面に溝を形成して放熱面積を増大させれば放熱効果を上げる事が可能である。
【００５２】
また例えばアンテナ先端、すなわちヒートパイプの低温端を輻射率の高い物質でコーティングして輻射放熱性を高めれば放熱効果を上げる事が可能である。
【００５３】
また例えばアンテナ先端、すなわちヒートパイプの低温端表面を粗化処理する等して輻射率を高めれば、放熱効果を上げる事が可能である。
【００５４】
効果として、筐体内部で発生する熱は効率良く、筐体から離れた箇所に輸送しされ放熱されるので、筐体の温度上昇が防止され使用時の不快感が低減される。
【００５５】
また、従来技術として、特開平１１−９５８７１号公報がある（特許文献３参照。）。
【００５６】
これは、従来の構造に特別な放熱構造を設けることなく、回路基板に実装された発熱部品から生じる熱を筐体に効率よく拡散させることが可能な、電子機器の放熱構造を提供するものである。
【００５７】
携帯用パソコンの放熱構造は、筐体と一体成形されたリブを有し、リブの少なくとも外面およびリブと一体化した筐体内面を熱伝導性膜により覆い、発熱部品と接触した放熱板が筐体のリブ表面の熱伝導性膜と接触するよう配設し、発熱部品の熱をリブを通じて筐体表面に伝熱して放熱するよう構成されている。
【００５８】
この電子機器の放熱構造は、筐体内に発熱部品を有する電子機器において、前記筐体と一体成形され、筐体内面上に突設され当該筐体に剛性を持たせる突起部、少なくとも前記突起部の表面および前記筐体の内面を覆うように形成された熱伝導性膜、及び前記発熱部品が固着され、前記突起部先端の前記熱伝導性膜と接触するように配置された放熱部材、を具備する。
【００５９】
このため、この電子機器の放熱構造は、発熱部品あるいは前記発熱部品と接触した放熱部材が筐体の突起部表面の熱伝導性薄膜と接触し、前記突起部を通じて筐体内表面に発熱部品の熱を逃がすよう構成されている。
【００６０】
また、この電子機器の放熱構造は、前記突起部が筐体内面から同一高さを有し、少なくとも一部が放射形状に広がるように形成され、前記放熱部材に固着された発熱部品が前記突起部における放射形状の中心点と対応する位置に配置されている。
【００６１】
このため、この電子機器の放熱構造は、発熱部品の熱が突起部を通して放射状に効率良く筐体外表面に伝えられる。
【００６２】
また、この電子機器の放熱構造は、前記熱伝導性膜が、アルミニウム材、銅材、グラファイト製の放熱部材により形成されている。
【００６３】
このため、この電子機器の放熱構造は、発熱部品の熱が熱伝導性の高い放熱部材を介して伝えられ、効率良く筐体外表面に伝えられる。
【００６４】
また、この電子機器の放熱構造は、前記熱伝導性膜が、前記突起部の表面、前記筐体の内面及び前記筐体の外面を覆うように設けられ、前記筐体の内面と外面の両面に設けられた熱伝導性膜が筐体に埋設された熱伝導性部材により熱的に接続されている。
【００６５】
このため、この電子機器の放熱構造は、発熱部品の熱が熱伝導性の高い放熱部材を介して筐体の外面に伝えられ、効率良く放熱される。
【００６６】
また、この電子機器の放熱構造は、前記熱伝導性部材が、アルミニウム材、銅材、グラファイト材により形成されている。
【００６７】
このため、この電子機器の放熱構造は、発熱部品の熱が熱伝導性の高い放熱部材を介して伝えられ、効率良く筐体外表面に伝えられる。
【００６８】
効果として、以上のように、この電子機器の放熱構造では、従来において強度確保、回路基板の取り付け等の目的で形成された筐体内のリブを用いて、発熱部品から発する熱を筐体に伝熱し、拡散させるよう構成されている。
【００６９】
このため、この電子機器の放熱構造は、特別な放熱機構の設置による大幅なコストアップや重量増加を伴うことなく、発熱部品の熱を効率良く発散することが可能となる。
【００７０】
また、この電子機器の放熱構造では、筐体内のリブの配置を最適化することにより、筐体の局部的温度上昇を抑制し、筐体の温度分布を均一化することができる。
【００７１】
さらに、この電子機器の放熱構造は、筐体の内外両面に熱伝導性の高い熱伝導性膜を設け、両方の熱伝導性膜を熱伝導性部材を介して接続することにより、筐体の内面および外面の双方において放熱させることが可能となる。
【００７２】
このため、この電子機器の放熱構造によれば、放熱効果が大幅に向上し、発熱部品からの熱を速やかに発散させるとともに、筐体内の蓄熱量を大幅に減少させることが可能となる。
【００７３】
また、従来技術として、特開平８−２３６９７２号公報がある（特許文献４参照。）。
【００７４】
これは、配線基板に搭載された電子部品の熱を外部へ効率よく放出できる電子機器を提供するものである。
【００７５】
下ケースの内面に伝熱板を装着する。伝熱板はアルミニウムなどの熱伝導性の良い素材にて形成される。
【００７６】
伝熱板を部分的に切り起して複数の舌片を形成する。
【００７７】
上ケースと下ケースの内部に収納された配線基板に搭載された電子部品の表面に舌片を弾性的に当接させる。
【００７８】
電子部品が発生した熱は、舌片に吸収され、伝熱板を通して下ケース全体に伝達され、下ケース全体から外部へ放出される。
【００７９】
したがって電子部品の発熱を効果的に抑制できる。
【００８０】
またヒートシンクを不要にできるので、上ケースや下ケースを小型化・薄型化できる。
【００８１】
この電子機器は、電子部品が搭載された配線基板と、この配線基板を収納するケースとを備えた電子機器において、ケースの内面に当接する金属板から成る伝熱板を設け、この伝熱板から延出する舌片を電子部品の表面に当接させたものである。
【００８２】
またケースを金属板にて形成したものである。
【００８３】
また舌片を伝熱板を部分的に切り起して形成し、その先端の自由端部を電子部品の表面に弾性的に当接させたものである。
【００８４】
上記構成によれば、電子部品が発生した熱を、伝熱板とケースを通して外部へ効率よく放出することができる。
【００８５】
また伝熱板を部分的に切り起して舌片を形成することにより、ケースをより一層薄形化できる。
【００８６】
この電子機器である携帯電話機は、上ケースの下面に、下ケースとバッテリーケースを装着して組み立てられている。
【００８７】
上ケースと下ケースとバッテリーケースは、アルミニウムなどの軽量で熱伝導性にすぐれ、またリサイクル性にもすぐれた金属板により造られている。
【００８８】
上ケースの上部には受話部が設けられている。
【００８９】
またケースの下部には送話部が設けられている。したがって上ケースを手に保持し、受話部を耳に当てるとともに、送話部を口に当てて使用する。
【００９０】
上ケースの上面には、表示部と、多数個の操作ボタンが設けられている。
【００９１】
また上ケースと下ケースの上端面からは、アンテナが突出している。
【００９２】
上ケースと下ケースの内部には、配線基板が収納されている。
【００９３】
配線基板の上面には電子部品が搭載されている。
【００９４】
下ケースの内面には、伝熱板が設けられている。
【００９５】
伝熱板はアルミニウムなどの熱伝導性の良い軽量な金属板にて作られており、下ケースの内面にぴったり貼り合わせて装着されている。
【００９６】
また伝熱板を部分的に切り起して複数の舌片が形成されている。これらの舌片はＬ字形に屈曲しており、その先端部はフラットな自由端部になっている。
【００９７】
舌片は電子部品に対応する位置に形成されており、その先端の自由端部を各々の電子部品の表面に弾性的に当接させている。
【００９８】
また伝熱板は配線基板に対向して配置されている。
【００９９】
この携帯電話機は上記のような構成より成り、使用時には、上ケースを手に保持して受話部を耳に当て、また送話部を口に当てる。
【０１００】
使用中は、電子部品は駆動し、その内部抵抗により発熱する。
【０１０１】
発生した熱は、舌片から吸収され、伝熱板を通して下ケースに伝達され、下ケースから外部へ放出される。
【０１０２】
伝熱板はアルミニウムなどの熱伝導性の良い金属板により形成されており、したがって電子部品の熱は、熱効率よく舌片に吸収されて、伝熱板全体に伝導される。
【０１０３】
そして伝熱板から下ケースへ伝導されて、下ケース全体から外部へ放出される。
【０１０４】
また熱の一部は下ケースから上ケースへ伝達され、上ケースから外部へ放出される。
【０１０５】
このように電子部品の熱を下ケース全体に伝導し、下ケース全体から外部へ直接放出することにより、電子部品の温度上昇を効果的に抑制することができる。
【０１０６】
以上説明したように効果として、電子機器の内部に設けられた電子部品の熱を舌片を通して伝熱板に吸収し、さらに伝熱板からケースに伝達して、ケース全体から外部へ直接放出できるので、電子部品の温度上昇を効果的に抑制することができる。
【０１０７】
したがって電子部品の熱疲労を防止して電子部品の性能を長期間一定に保つことができ、また電子部品の発熱を効果的に抑制できるので、配線基板の高集積化が可能となる。
【０１０８】
またヒートシンクを不要にできるので、ケースの小型化や薄形化を図ることができる。
【０１０９】
また伝熱板に舌片を切り起して形成し、この舌片を電子部品の表面に当接させることにより、より一層ケースの薄形化を図れる。
【０１１０】
また舌片を電子部品の表面に弾性的に当接させることにより、ケースや舌片に寸法のばらつきがあっても、舌片を電子部品の表面にぴったり当接させて電子部品が発生した熱を効率よく吸収でき、また舌片により電子部品や配線基板のがたつきを防止でき、また電子機器の組立て性も向上する。
【０１１１】
更には、伝熱板を金属板にて形成し、さらに望ましくはケースも熱伝導性のよい金属板で形成することにより、放熱性が向上するだけでなく、電子機器に要求される電磁気のシールドも達成され、またリサイクル性にもすぐれたものとなる。
【０１１２】
したがって、殊に携帯電話機などの携帯式電子機器にとってきわめて有用な放熱構造を実現できる。
【０１１３】
また、従来技術として、特開平５−３７４４２号公報がある（特許文献５参照。）。
【０１１４】
これは、小形化に伴なう携帯用電話機の温度上昇による体感温度の不快感を除去し、放熱機能の優れた携帯電話機を提供するものである。
【０１１５】
携帯電話機の本体中央部内側の主電気回路に熱的に接続する熱交換体を端部に設け、放熟板を回転放熱体から延設して平板状の開閉カバ―を形成し、この開閉カバ―が本体の操作盤部に対して開閉可能なカバー取付構造を有するものである。
【０１１６】
この携帯電話機は、本体中央部内側に配設されている主電気回路と熱的に接続する熱交換体を端部に設け、平坦表面からなる放熱板を回転放熱体から延設して平板状カバ―を形成し、この平坦状カバーが前記携帯電話機の外側中央の操作盤に対して、放熱体を例えば回転軸等にして開閉自在とする平板状カバーの取付構造としたものである。
【０１１７】
この携帯電話機の放熱機能においては、開閉する平板状カバ―の放熱板と、開閉軸を形成する放熱体と、本体内部の主電気回路の発熱部とが熱交換体を介して熱的に接続しているから、主電気回路での発熱は効率よく平板状カバ―の放熱板から外部ヘ放熱される。
【０１１８】
この放熱によって携帯電話機は、使用時、不使用時を問わず過度に温度上昇することがなくなる。なお、熱的接続は物質的な熱良導体又は機能デバイス的な熱伝導体又はこれらの組合せを用いて行われる。
【０１１９】
携帯電話機本体（以下本体という）、は受話部、表示部、ダイヤルボタンなどを主体に配設した操作部で構成され、この本体面の内側に主電気回路が組込まれており、アンテナ部が本体に取り付けられている。
【０１２０】
平板状の開閉カバーが本体の長き方向片側端辺の稜線上に設けた蝶番状の回転部に接続して、これを回転軸として開閉するように取付けられている。
【０１２１】
回転筒は開閉カバ―に固定して付設している。別の回転筒は本体１側に固定きれていて、その中央部分に送話部が組込まれている。
【０１２２】
放熱板は回転部の回転放熱体から延設され、開閉カバーの表面にその表面が浮き出るように形成きれた放熱板である。
【０１２３】
また、熱交換部の先端部は別の回転筒の両端と回転筒の間に軸状に形設きれた熱交換軸であり、熱交換部は主電気回路の熱源の近辺に配設きれ、熱的接続を行うようになっている。
【０１２４】
―般には、放熱板と回転放熱体は熱良導体の金属で形成され、熱交換軸を含む熱交換部は熱良導体で形成されてもよく、ヒ―トバイプのような熱伝達体で形成されてもよい。
【０１２５】
この携帯電話機は以上のように構成されているので、熱交換軸は回転放熱体と回転接触していて、この間の熱伝導が可能なようになっている。
【０１２６】
すなわち、本体の熱源部より伝達された熱はパイプ状の熱交換部を通ってその先端の熱交換軸に至る。そして、回転放熱体に熱伝導し、放熱板から外界ヘ放熱されて、本体の内部は冷却されていくようになる。
【０１２７】
したがって、本体の外側部は熱をもつこともなく、快適な送受話が可能となる。
【０１２８】
なお、開閉カバ―は操作中は開いて使用するが、操作しない間の開閉は任意でよい。
【０１２９】
なお、上記の実施例においては開閉カバ―を送話側に配設しているが、受話側に開閉カバーを設けると、熱の伝達は上部方向に進行するという理由から、特に使用時の放熟効果が増大して都合がよい。
【０１３０】
ただし、この場合は受話装置を上温きせない配慮が必要となる。また、構造の都合によっては、受話側及び送話側の両側に開閉カバ―を取付けてもよい。
【０１３１】
また、熱交換部はヒ―トバイプや熱良導体のパイプ状のものの代りに熱伝導のよい板材料を用いて構成することも可能である。
【０１３２】
きらに、放熱板の面が直接人体に触れないように格子状の物体でカバ―してもよい。
【０１３３】
この外、この放熱面を反射面に形成すれば、鏡としての利用価値も生ずる。
【０１３４】
以上のように、効果として、携帯電話機に開閉自在な平板状のカバ―を設け、このカバ―に放熟体を付設し、本体側の発熱部の熱を伝達する熱交換部と上記の放熱体とを接続したので、電話使用時はカバーが開かれているので、効率の良い放熱が期待できる。
【０１３５】
その結果、本体外側部は昇温しなくなるので手で握ったとき、耳に触わったときの不快感がなくなり快適な通話を提供できる効果がある。
【０１３６】
また、放熱体の放熱面を鏡面仕上げしてもよいので、この場合はアクセサリ―的な―寸した鏡として用いることもできるといった副次的な効果も得られる。
【０１３７】
また、従来技術として、実開昭６３−２００３９０号公報がある（特許文献６参照。）。
【０１３８】
これは、携帯可能な電子機器において、電子機器の内部の熱を発生する電子部材から発生する熱を、電子機器の外部に取り付けた放熱板を兼ねた電子機器を携帯するための装着部材であるベルトクリップにより放熱させるものである。
【０１３９】
ベルトクリップは携帯電子機器背面において、ベルトクリップが内部に実装された電子部品等の発熱体及び放熱用ブラケットをネジ及びナットによって共締めされている。
【０１４０】
よって、発熱体で発生した熱がネジ及びナットを介してベルトクリップに伝わる。
【０１４１】
したがって、その熱はベルトクリップの表面全体に分散されて、放熱作用となり効率よく外気に放出される。
【０１４２】
また、その熱が人の手等に直接伝わらないようにベルトクリップの表面に被革が貼り付けられている。
【０１４３】
【特許文献１】特開２００２−２８０７７４号公報（段落［０００４］〜［００２０］、［００３４］）
【特許文献２】特開２００２−１６４９７５号公報（段落［００１０］〜［００２０］）
【特許文献３】特開平１１−９５８７１号公報（段落［０００５］〜［０００９］，および［００１７］）
【特許文献４】特開平８−２３６９７２号公報（段落［０００６］〜［００１４］）
【特許文献５】特開平５−３７４４２号公報（段落［０００７］〜［００１６］）
【特許文献６】実開昭６３−２００３９０号公報（３頁第３行目〜台１７行目、および、４頁第８行目〜第１８行目）
【発明の開示】
【発明が解決しようとする課題】
【０１４４】
携帯電話機に代表される携帯通信機は、高機能および高性能化に伴って携帯通信機の内部に実装される電子部品の消費電力が増加し、結果として機器全体の温度上昇が問題となっている。
【０１４５】
このような温度上昇を防ぐために、パーソナルコンピュータ等の電子機器では、筐体内部の熱を外部に放熱するため、発熱量の多い電子部品に放熱用の金属製ヒートシンクやファンを取り付けて放熱を行っている。
【０１４６】
しかしながら近年の携帯電話機は非常に小型化されており、スペース的な制約でパーソナルコンピュータのような放熱対策を行うことが難しい。
【０１４７】
第１の問題点は、特許文献１に示す特開２００２−２８０７７４号公報のものは放熱効果が十分に得られない。
【０１４８】
その理由は、放熱部が、筐体内に密着して配置された熱伝導部材と、熱伝導部材に熱的に接続され、筐体の外部に位置している外部熱伝導部材（ストラップ）と、を備え、熱伝導部材は筐体内に密着して配置され、筐体内の熱を筐体を通じて外部に放出することができ、外部熱伝導部材（ストラップ）は、熱伝導部材に熱的に接続されており、筐体の外部に位置されていることにより、熱伝導部材の熱を筐体の外部に放出することができるが、外部熱伝導部材のストラップは、被覆部材により被覆されているため、内部の熱伝導部材から外部熱伝導部材のストラップへ伝達された熱がストラップを被覆している被覆部材により包含され十分に放熱できないからである。
【０１４９】
第２の問題点は、特許文献２に示す特開２００２−１６４９７５号公報のものは熱伝達のアンテナ材にヒートパイプを使用することで、特別な放熱部材を必要とすることである。
【０１５０】
その理由は、アンテナ部の材料にヒートパイプを使用するもので、ヒートパイプは内壁に縦方向の溝や多孔質構造（ウイック）を設けた金属パイプの中に、減圧下で、所定の温度で気化する液体（以下、作動液という）を適量封入したヒートパイプを用いて、ヒートパイプは作動液が高温端（蒸発端と呼ばれる）で熱を吸収して気化し、低温端（凝縮端と呼ばれる）に移動し、潜熱を放出して凝縮し、低温端で凝縮した作動液は、縦方向の溝や多孔質構造（ウイック）の毛細管現象により、再び高温端に移動し、再び熱を吸収し蒸発するサイクルを繰り返すので、高効率の熱伝達が永続し、通常の良熱導体材料よりも、高効率で熱伝達を達成するもので、放熱構造が複雑で高価なものとなってしまうからである。
【０１５１】
第３の問題点は、特許文献３に示す特開平１１−９５８７１号公報のものは携帯電話機のような非常に小型化され、スペース的に制約された機器で放熱対策を行うことが難しい。
【０１５２】
その理由は、電子機器の放熱構造は、筐体内に発熱部品を有する電子機器において、前記筐体と一体成形され、筐体内面上に突設され当該筐体に剛性を持たせる突起部、少なくとも前記突起部の表面および前記筐体の内面を覆うように形成された熱伝導性膜、及び前記発熱部品が固着され、前記突起部先端の前記熱伝導性膜と接触するように配置された放熱部材、を具備し、発熱部品あるいは前記発熱部品と接触した放熱部材が筐体の突起部表面の熱伝導性薄膜と接触し、前記突起部を通じて筐体内表面に発熱部品の熱を逃がすよう構成され、前記突起部が筐体内面から同一高さを有し、少なくとも一部が放射形状に広がるように形成され、前記放熱部材に固着された発熱部品が前記突起部における放射形状の中心点と対応する位置に配置されているため、この電子機器の放熱構造は、発熱部品の熱が突起部を通して放射状に効率良く筐体外表面に伝えられ、このような放熱構造にするための筐体内面上に突設され当該筐体に剛性を持たせる突起部が筐体内面に設ける必要があるため、携帯電話機のような非常に小型化され、スペース的に制約された機器では、筐体内面に突起部を設けることは難しいからである。
【０１５３】
第４の問題点は、特許文献４に示す特開平８−２３６９７２号公報のものは携帯電話機は筐体の表面積が小さいため筐体への放熱だけでは十分な放熱を行うことが難しく、また筺体の表面へ熱を伝えてしまうため、筐体表面の温度が上昇し、操作時に不快を感じる問題があった。
【０１５４】
その理由は、電子部品の熱は、熱効率よく伝熱板の舌片に吸収されて、伝熱板全体に伝導され、伝熱板から筐体の下ケースへ伝導されて、下ケース全体から外部へ放出され、また熱の一部は下ケースから筐体の上ケースへ伝達され、上ケースから外部へ放出され、電子部品の熱を筐体のケース全体に伝導し、筐体のケース全体から外部へ直接放出することにより、電子部品の温度上昇を効果的に抑制することができるが、携帯電話機は筐体の表面積が小さいため筐体への放熱だけでは十分な放熱を行うことが難しく、また、筺体の表面へ熱を伝えてしまうため、筐体表面の温度が上昇し、操作時に不快を感じるからである。
【０１５５】
第５の問題点は、特許文献５に示す特開平５−３７４４２号公報のものは放熱のための特別な構造と部材を必要とする。
【０１５６】
その理由は、携帯電話機の本体中央部内側の主電気回路に熱的に接続する熱交換体を端部に設け、放熟板を回転放熱体から延設して平板状の開閉カバ―を形成し、この開閉カバ―が本体の操作盤部に対して開閉可能なカバー取付構造としたもので、携帯電話機に放熟のための開閉カバ―を設け、開閉カバ―が本体の操作盤部に対して開閉可能なカバー取付構造としたからである。
【０１５７】
第６の問題点は、特許文献６に示す実開昭６３−２００３９０号公報のものは放熱効果が十分に得られない。
【０１５８】
その理由は、携帯可能な電子機器において、電子機器の内部の熱を発生する電子部材から発生する熱を、電子機器の外部に取り付けた放熱板を兼ねた電子機器を携帯するための装着部材であるベルトクリップにより放熱させるもので、ベルトクリップは携帯電子機器背面において、ベルトクリップが内部に実装された電子部品等の発熱体及び放熱用ブラケットをネジ及びナットによって共締めされていることにより、発熱体で発生した熱がネジ及びナットを介してベルトクリップに伝わり、その熱がベルトクリップの表面全体に分散されて、外気に放出されて放熱作用となるが、その熱が人の手等に直接伝わらないようにベルトクリップの表面に被革が貼り付けられているため、ベルトクリップの被革のためにベルトクリップに伝達された電子機器の内部の発熱体で発生した熱は被革で包含され直接外部に放熱されないからである。
【０１５９】
（発明の目的）
そこで、本発明の目的は、高発熱体を内蔵する携帯通信機の放熱構造において、携帯通信機は筐体の表面積が小さいため筐体への放熱だけでは十分な放熱を行うことが難しく、また筺体の表面へ熱を伝えてしまうため、筐体表面の温度が上昇し、操作時に不快を感じる問題を解消するため、従来の構造に特別な放熱構造を設けることなく、筐体表面温度による操作時の不快感を解消する携帯通信機および携帯通信機の放熱方法を提供することにある。
【課題を解決するための手段】
【０１６０】
第１の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたハンドストラップに伝わりハンドストラップから筐体の外部に放熱されることを特徴とする。
【０１６１】
また、第２の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたハンドストラップに伝わりハンドストラップから筐体の外部に放熱されることを特徴とする。
【０１６２】
また、第３の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたカーボン繊維材で構成されたハンドストラップに伝わりカーボン繊維材で構成されたハンドストラップから筐体の外部に放熱されることを特徴とする。
【０１６３】
また、第４の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはシリンダピース付きのハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたシリンダピース付きのハンドストラップに伝わりシリンダピース付きのハンドストラップから筐体の外部に放熱されることを特徴とする。
【０１６４】
また、第５の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのハンドストラップに伝わりシリンダピース付きのハンドストラップから筐体の外部に放熱されることを特徴とする。
【０１６５】
また、第６の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのカーボン繊維材で構成されたハンドストラップに伝わりシリンダピース付きのカーボン繊維材で構成されたハンドストラップから筐体の外部に放熱されることを特徴とする。
【０１６６】
また、第７の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはハンドストラップを取り付け、
携帯通信機の電源オン時には電子部品が動作し、電子部品が動作したことにより発生した熱は電子部品の表面に取り付けられた放熱板を介してハンドストラップへ伝わり、ハンドストラップから筐体の外部に放熱されることを特徴とする。
【０１６７】
また、第８の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはハンドストラップを取り付け、
携帯通信機の電源オン時には電子部品が動作し、電子部品が動作したことにより発生した熱は電子部品の表面に取り付けられた金属材の放熱板を介してハンドストラップへ伝わり、ハンドストラップから筐体の外部に放熱されることを特徴とする。
【０１６８】
また、第９の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする。
【０１６９】
また、第１０の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする。
【０１７０】
また、第１１の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする。
【０１７１】
また、第１２の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたハンドストラップに伝わりハンドストラップから筐体の外部に放熱されることを特徴とする。
【０１７２】
また、第１３の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたカーボン繊維材で構成されたハンドストラップに伝わりカーボン繊維材で構成されたハンドストラップから筐体の外部に放熱されることを特徴とする。
【０１７３】
また、第１４の発明の携帯通信機は、携帯通信機本体は上筐えのきどすすむ体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのハンドストラップに伝わりシリンダピース付きのハンドストラップから筐体の外部に放熱されることを特徴とする。
【０１７４】
また、第１５の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのカーボン繊維材で構成されたハンドストラップに伝わりシリンダピース付きのカーボン繊維材で構成されたハンドストラップから筐体の外部に放熱されることを特徴とする。
【０１７５】
また、第１６の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはハンドストラップを取り付け、
携帯通信機の電源オン時には電子部品が動作し、電子部品が動作したことにより発生した熱は電子部品の表面に取り付けられた銅材の放熱板を介してハンドストラップへ伝わり、ハンドストラップから筐体の外部に放熱されることを特徴とする。
【０１７６】
また、第１７の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする。
【０１７７】
また、第１８の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする。
【０１７８】
また、第１９の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたハンドストラップに伝わりハンドストラップから筐体の外部に放熱されることを特徴とする。
【０１７９】
また、第２０の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたカーボン繊維材で構成されたハンドストラップに伝わりカーボン繊維材で構成されたハンドストラップから筐体の外部に放熱されることを特徴とする。
【０１８０】
また、第２１の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのハンドストラップに伝わりシリンダピース付きのハンドストラップから筐体の外部に放熱されることを特徴とする。
【０１８１】
また、第２２の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのカーボン繊維材で構成されたハンドストラップに伝わりシリンダピース付きのカーボン繊維材で構成されたハンドストラップから筐体の外部に放熱されることを特徴とする。
【０１８２】
また、第２３の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはハンドストラップを取り付け、
携帯通信機の電源オン時には電子部品が動作し、電子部品が動作したことにより発生した熱は電子部品の表面に取り付けられたアルミニウム材の放熱板を介してハンドストラップへ伝わり、ハンドストラップから筐体の外部に放熱されることを特徴とする。
【０１８３】
また、第２４の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする。
【０１８４】
また、第２５の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする。
【０１８５】
また、第２６の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたハンドストラップに伝わりハンドストラップから筐体の外部に放熱されることを特徴とする。
【０１８６】
また、第２７の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたカーボン繊維材で構成されたハンドストラップに伝わりカーボン繊維材で構成されたハンドストラップから筐体の外部に放熱されることを特徴とする。
【０１８７】
また、第２８の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのハンドストラップに伝わりシリンダピース付きのハンドストラップから筐体の外部に放熱されることを特徴とする。
【０１８８】
また、第２９の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのカーボン繊維材で構成されたハンドストラップに伝わりシリンダピース付きのカーボン繊維材で構成されたハンドストラップから筐体の外部に放熱されることを特徴とする。
【０１８９】
また、第３０の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはハンドストラップを取り付け、
携帯通信機の電源オン時には電子部品が動作し、電子部品が動作したことにより発生した熱は電子部品の表面に取り付けられたセラミックス材の放熱板を介してハンドストラップへ伝わり、ハンドストラップから筐体の外部に放熱されることを特徴とする。
【０１９０】
また、第３１の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする。
【０１９１】
また、第３２の発明の携帯通信機は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする。
【０１９２】
また、第３３の発明の携帯通信機は、シリンダピースとハンドストラップの取り付を構造をカシメにより行うことを特徴とする請求項４、５、６、１４、１５、２１、２２、２８、および２９記載の携帯通信機。
【０１９３】
また、第３４の発明の携帯通信機は、放熱板とハンドストラップの取り付を構造をカシメにより行うことを特徴とする請求項７、８、９、１６、１７、２３、２４、３０、および３１記載の携帯通信機。
【０１９４】
また、第３５の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたハンドストラップに伝わりハンドストラップから筐体の外部に放熱されることを特徴とする携帯通信機の放熱方法。
【０１９５】
また、第３６の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたハンドストラップに伝わりハンドストラップから筐体の外部に放熱されることを特徴とする携帯通信機の放熱方法。
【０１９６】
また、第３７の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたカーボン繊維材で構成されたハンドストラップに伝わりカーボン繊維材で構成されたハンドストラップから筐体の外部に放熱されることを特徴とする携帯通信機の放熱方法。
【０１９７】
また、第３８の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはピンを取り付け、
ピンにはシリンダピース付きのハンドストラップを装着し、携帯通信機の電源オン時には電子部品が動作し、電子部品が動作したことにより発生した熱は電子部品の表面に取り付けられた放熱板を介してピンへ伝え、ピンに伝わった熱はピンに装着されたシリンダピース付きのハンドストラップに伝わりシリンダピース付きのハンドストラップから筐体の外部に放熱されることを特徴とする携帯通信機の放熱方法。
【０１９８】
また、第３９の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのハンドストラップに伝わりシリンダピース付きのハンドストラップから筐体の外部に放熱されることを特徴とする携帯通信機の放熱方法。
【０１９９】
また、第４０の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部には金属材のピンを取り付け、
金属材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた金属材の放熱板を介して金属材のピンへ伝え、金属材のピンに伝わった熱は金属材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【０２００】
また、第４１の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはハンドストラップを取り付け、
携帯通信機の電源オン時には電子部品が動作し、電子部品が動作したことにより発生した熱は電子部品の表面に取り付けられた放熱板を介してハンドストラップへ伝わり、ハンドストラップから筐体の外部に放熱されることを特徴とする携帯通信機の放熱方法。
【０２０１】
また、第４２の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはハンドストラップを取り付け、
携帯通信機の電源オン時には電子部品が動作し、電子部品が動作したことにより発生した熱は電子部品の表面に取り付けられた金属材の放熱板を介してハンドストラップへ伝わり、ハンドストラップから筐体の外部に放熱されることを特徴とする携帯通信機の放熱方法。
【０２０２】
また、第４３の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【０２０３】
また、第４４の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には放熱板の一端部を取り付け、放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【０２０４】
また、第４５の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には金属材の放熱板の一端部を取り付け、金属材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【０２０５】
また、第４６の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたハンドストラップに伝わりハンドストラップから筐体の外部に放熱されることを特徴とする携帯通信機の放熱方法。
【０２０６】
また、第４７の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたカーボン繊維材で構成されたハンドストラップに伝わりカーボン繊維材で構成されたハンドストラップから筐体の外部に放熱されることを特徴とする携帯通信機の放熱方法。
【０２０７】
また、第４８の発明の携帯通信機の放熱方法は、携帯通信機本体は上筐えのきどすすむ体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのハンドストラップに伝わりシリンダピース付きのハンドストラップから筐体の外部に放熱されることを特徴とする携帯通信機の放熱方法。
【０２０８】
また、第４９の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部には銅材のピンを取り付け、
銅材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられた銅材の放熱板を介して銅材のピンへ伝え、銅材のピンに伝わった熱は銅材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【０２０９】
また、第５０の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはハンドストラップを取り付け、
携帯通信機の電源オン時には電子部品が動作し、電子部品が動作したことにより発生した熱は電子部品の表面に取り付けられた銅材の放熱板を介してハンドストラップへ伝わり、ハンドストラップから筐体の外部に放熱されることを特徴とする携帯通信機の放熱方法。
【０２１０】
また、第５１の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【０２１１】
また、第５２の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面には銅材の放熱板の一端部を取り付け、銅材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【０２１２】
また、第５３の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたハンドストラップに伝わりハンドストラップから筐体の外部に放熱されることを特徴とする携帯通信機の放熱方法。
【０２１３】
また、第５４の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたカーボン繊維材で構成されたハンドストラップに伝わりカーボン繊維材で構成されたハンドストラップから筐体の外部に放熱されることを特徴とする携帯通信機の放熱方法。
【０２１４】
また、第５５の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのハンドストラップに伝わりシリンダピース付きのハンドストラップから筐体の外部に放熱されることを特徴とする携帯通信機の放熱方法。
【０２１５】
また、第５６の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアルミニウム材のピンを取り付け、
アルミニウム材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたアルミニウム材の放熱板を介してアルミニウム材のピンへ伝え、アルミニウム材のピンに伝わった熱はアルミニウム材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【０２１６】
また、第５７の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはハンドストラップを取り付け、
携帯通信機の電源オン時には電子部品が動作し、電子部品が動作したことにより発生した熱は電子部品の表面に取り付けられたアルミニウム材の放熱板を介してハンドストラップへ伝わり、ハンドストラップから筐体の外部に放熱されることを特徴とする携帯通信機の放熱方法。
【０２１７】
また、第５８の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【０２１８】
また、第５９の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはアルミニウム材の放熱板の一端部を取り付け、アルミニウム材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【０２１９】
また、第６０の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたハンドストラップに伝わりハンドストラップから筐体の外部に放熱されることを特徴とする携帯通信機の放熱方法。
【０２２０】
また、第６１の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたカーボン繊維材で構成されたハンドストラップに伝わりカーボン繊維材で構成されたハンドストラップから筐体の外部に放熱されることを特徴とする携帯通信機の放熱方法。
【０２２１】
また、第６２の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのハンドストラップに伝わりシリンダピース付きのハンドストラップから筐体の外部に放熱されることを特徴とする携帯通信機の放熱方法。
【０２２２】
また、第６３の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはセラミックス材のピンを取り付け、
セラミックス材のピンにはシリンダピース付きのカーボン繊維材で構成されたハンドストラップを装着し、携帯通信機の電源オン時には電子部品が動作し、電子部品が動作したことにより発生した熱は電子部品の表面に取り付けられたセラミックス材の放熱板を介してセラミックス材のピンへ伝え、セラミックス材のピンに伝わった熱はセラミックス材のピンに装着されたシリンダピース付きのカーボン繊維材で構成されたハンドストラップに伝わりシリンダピース付きのカーボン繊維材で構成されたハンドストラップから筐体の外部に放熱されることを特徴とする携帯通信機の放熱方法。
【０２２３】
また、第６４の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはハンドストラップを取り付け、
携帯通信機の電源オン時には電子部品が動作し、電子部品が動作したことにより発生した熱は電子部品の表面に取り付けられたセラミックス材の放熱板を介してハンドストラップへ伝わり、ハンドストラップから筐体の外部に放熱されることを特徴とする携帯通信機の放熱方法。
【０２２４】
また、第６５の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはカーボン繊維材で構成されたハンドストラップを取り付け、
携帯通信機の電源オン時には電子部品が動作し、電子部品が動作したことにより発生した熱は電子部品の表面に取り付けられた放熱板を介してカーボン繊維材で構成されたハンドストラップへ伝わり、カーボン繊維材で構成されたハンドストラップから筐体の外部に放熱されることを特徴とする携帯通信機の放熱方法。
【０２２５】
また、第６６の発明の携帯通信機の放熱方法は、携帯通信機本体は上筐体と下筐体によって構成し、上筐体と下筐体によって構成されている携帯通信機本体の内部にプリント基板を設置し、プリント基板には電子部品、キーシート、およびボタンを実装し、電子部品の表面にはセラミックス材の放熱板の一端部を取り付け、セラミックス材の放熱板のもう一方の端部にはアンテナを取り付け、
携帯通信機の電源オン時には電子部品が動作し、電子部品が動作したことにより発生した熱は電子部品の表面に取り付けられた放熱板を介してアンテナへ伝わり、アンテナから筐体の外部に放熱されることを特徴とする携帯通信機の放熱方法。
【０２２６】
また、第６７の発明の携帯通信機の放熱方法は、シリンダピースとハンドストラップの取り付を構造をカシメにより行うことを特徴とする請求項３８、３９、４０、４８、４９、５５、５６、６２、および６３記載の携帯通信機の放熱方法。
【０２２７】
また、第６８の発明の携帯通信機の放熱方法は、放熱板とハンドストラップの取り付を構造をカシメにより行うことを特徴とする請求項４１、４２、４３、５０、５１、５７、５８、６４、および６５記載の携帯通信機の放熱方法。
【発明の効果】
【０２２８】
以上説明したように、本発明の携帯通信機および携帯通信機の放熱方法は、
第１の効果は、筐体の装置の厚みを増すことなく表面温度を下げることができる。
【０２２９】
その理由は、携帯通信機本体の外部にハンドストラップまたはアンテナで放熱する構造にしたからである。
【０２３０】
第２の効果は、筐体内で発生する熱を放出する放熱部の面積を増加し、電子部品などの熱を効率よく筐体外に放熱することができる。
【０２３１】
その理由は、携帯通信機本体の外部にハンドストラップまたはアンテナで放熱部の面積を増加したからである。
【０２３２】
第３の効果は、筐体内部の温度上昇を抑えることができる。
【０２３３】
その理由は、携帯通信機の筐体内部の放熱板から携帯通信機本体の外部にハンドストラップまたはアンテナで放熱する構造にしたからである。
【０２３４】
第４の効果は、高熱を発生する高性能の電子部品を使用することが可能となる。
【０２３５】
その理由は、携帯通信機の筐体内部の熱を携帯通信機本体の外部にハンドストラップまたはアンテナで効率的に放熱する構造にしたからである。
【発明を実施するための最良の形態】
【０２３６】
次に、本発明を実施するための最良の形態の第１の実施の形態について図面を参照して詳細に説明する。
【０２３７】
図１は本発明の携帯通信機および携帯通信機の放熱方法の第１の実施の形態の一実施の形態の携帯通信機の放熱構造を示す携帯通信機の断面図である。
【０２３８】
図１を参照すると、携帯通信機本体は上筐体１と下筐体２によって構成され、上筐体１と下筐体２によって構成されている携帯通信機本体の内部にはプリント基板３が設置されており、プリント基板３には電子部品４が実装されている。
【０２３９】
またプリント基板３にはキーシート５およびボタン６が実装されている。
【０２４０】
電子部品４の表面には放熱板７の一端部が取り付けられており、もう一方の端部はピン８に取り付けられている。
【０２４１】
ピン８にはハンドストラップ９が装着されている。
【０２４２】
次に、本発明の最良の形態の第１の実施の形態の動作について、図１を参照して詳細に説明する。
【０２４３】
携帯通信機の電源ＯＮ時には電子部品４が動作し、電子部品４が動作したことにより発生した熱は電子部品４の表面に取り付けられた放熱板７を介してピン８へ伝えて筐体の外部に放熱する。
【０２４４】
またピン８に伝わった熱はそのピン８に装着されたハンドストラップ９にも伝わり放熱が促進される。
【０２４５】
この放熱板７は銅やアルミニウム、セラミックスなどのような熱伝導性に優れた材料であることが望ましい。
【０２４６】
またハンドストラップ９も熱伝導性に優れたカーボン繊維などの材料であることが望ましい。
【０２４７】
このような構造にすることにより電子部品４が動作したことにより発生した熱がプリント基板３、キーシート５、ボタン６等を介して上筐体１の表面に伝わっていたが、放熱板７の方に熱が伝達するため、上筐体１の表面への熱の伝導を最小限に抑えることができる。
【０２４８】
また、放熱板７の方に伝達された熱は、放熱板７の端部がピン８と下筐体２で挟締めされていることから、伝達された熱は下筐体２の方にも伝達されるが、放熱板７と下筐体２の接触面が小さいため下筐体２の表面に伝わる熱の伝導は少なく、下筐体２の表面温度を低く抑えることが可能である。
【０２４９】
またハンドストラップ９は、落下防止のために取り付けておくものであり、常に上筐体１および下筐体２より外部に出ているものであり、空気中にさらされているものであるため、空気に触れる面積も大きくなりより効果的に放熱することができる。
【０２５０】
またこのハンドストラップ９をユーザが故意に振り回すことによって強制空冷となり、より放熱効果が高まる。
【０２５１】
またハンドストラップ９は常に装置本体外に出ているものであり故意に水につけても携帯通信機本体の動作には影響はないため、水冷するということも可能である。
【０２５２】
以上のように、本発明の最良の形態の第１の実施の形態によるように、電子部品４の表面に放熱板７の一端部を取り付け、もう一方の端部をピン８に取り付け、熱伝導性に優れた材料でありしかも材料に被覆をしないで放熱効果を上げたハンドストラップ９を、ピン８に装着した携帯通信機の放熱構造を構成することにより、特別な放熱構造を設けることなく、筐体表面温度による操作時の不快感を解消する携帯通信機および携帯通信機の放熱方法を提供できる。
【０２５３】
次に、本発明の第２の実施の形態について、図１および図２を参照して詳細に説明する。
【０２５４】
図２は本発明の携帯通信機および携帯通信機の放熱方法の第２の実施の形態の一実施の形態の携帯通信機の放熱構造を示す携帯通信機の放熱構造図である。
【０２５５】
図１を参照すると、携帯通信機本体は上筐体１と下筐体２によって構成され、上筐体１と下筐体２によって構成されている携帯通信機本体の内部にはプリント基板３が設置されており、プリント基板３には電子部品４が実装されている。
【０２５６】
またプリント基板３にはキーシート５およびボタン６が実装されている。
【０２５７】
電子部品４の表面には放熱板７の一端部が取り付けられており、もう一方の端部はピン８に取り付けられている。
【０２５８】
ピン８には図２に示すようなシリンダピース２０付きのハンドストラップ９が装着されている。
【０２５９】
次に、本発明の第２の実施の形態の動作について、図１および図２を参照して詳細に説明する。
【０２６０】
携帯通信機の電源ＯＮ時には電子部品４が動作し、電子部品４が動作したことにより発生した熱は電子部品４の表面に取り付けられた放熱板７を介してピン８へ伝えて筐体の外部に放熱する。
【０２６１】
またピン８に伝わった熱はそのピン８に装着されたハンドストラップ９にも伝わり放熱が促進される。
【０２６２】
この放熱板７は銅やアルミニウム、セラミックスなどのような熱伝導性に優れた材料であることが望ましい。
【０２６３】
またハンドストラップ９も熱伝導性に優れたカーボン繊維などの材料であることが望ましい。
【０２６４】
このような構造にすることにより電子部品４が動作したことにより発生した熱がプリント基板３、キーシート５、ボタン６等を介して上筐体１の表面に伝わっていたが、放熱板７の方に熱が伝達するため、上筐体１の表面への熱の伝導を最小限に抑えることができる。
【０２６５】
また、放熱板７の方に伝達された熱は、放熱板７の端部がピン８と下筐体２で挟締めされていることから、伝達された熱は下筐体２の方にも伝達されるが、放熱板７と下筐体２の接触面が小さいため下筐体２の表面に伝わる熱の伝導は少なく、下筐体２の表面温度を低く抑えることが可能である。
【０２６６】
またハンドストラップ９は、落下防止のために取り付けておくものであり、常に上筐体１および下筐体２より外部に出ているものであり、空気中にさらされているものであるため、空気に触れる面積も大きくなりより効果的に放熱することができる。
【０２６７】
またこのハンドストラップ９をユーザが故意に振り回すことによって強制空冷となり、より放熱効果が高まる。
【０２６８】
またハンドストラップ９は常に装置本体外に出ているものであり故意に水につけても携帯通信機本体の動作には影響はないため、水冷するということも可能である。
【０２６９】
図２を参照すると、図２の分図（ａ）に示すように、放熱板７に取り付けられたピン８に、ハンドストラップ９を装着するために、ハンドストラップ９にシリンダピース２０取り付ける。
【０２７０】
この取り付け方法は、ハンドストラップ９とシリンダピース２０間の熱伝導率を良くするため図２の分図（ａ）の一点鎖線で囲まれた部分に示すように、ハンドストラップ９の端部とシリンダピース２０のハンドストラップ９の取り付け構造をカシメにより緊密に締め付けることで、シリンダピース２０からハンドストラップ９への熱の伝導率を良くしている構成にしている。
【０２７１】
以上のようにハンドストラップ９とシリンダピース２０を取り付け、図２の分図（ｂ）に示すように、ハンドストラップ９が接続されたシリンダピース２０を、放熱板７に取り付けられたピン８に装着する。
【０２７２】
シリンダピース２０とピン８の装着構成は、ピン８とシリンダピース２０間の熱伝導率を良くするた熱伝導率を良くするため、ピン８の円筒形の外径とシリンダピース２０のピン８の円筒形を挿入する穴の内径は寸法的に密着するように極めて近い構成にしてある。寸法的に極めて近い構成にしてあると言っても、ピン８とシリンダピース２０が回転可動可能なものとする。
【０２７３】
以上のように、本発明の第２の実施の形態によるように、電子部品４の表面に放熱板７の一端部を取り付け、もう一方の端部をピン８に取り付け、ピン８とシリンダピース２０が密着して回転可動可能なものとし、熱伝導性に優れた材料でありしかも材料に被覆をしないで放熱効果を上げたハンドストラップ９を、ピン８に装着した携帯通信機の放熱構造を構成することにより、特別な放熱構造を設けることなく、筐体表面温度による操作時の不快感を解消する携帯通信機および携帯通信機の放熱方法を提供できる。
【０２７４】
次に、本発明の第３の実施の形態について、図１および図３を参照して詳細に説明する。
【０２７５】
図３は本発明の携帯通信機および携帯通信機の放熱方法の第３の実施の形態の一実施の形態の携帯通信機の放熱構造を示す携帯通信機の放熱構造図である。
【０２７６】
図１を参照すると、携帯通信機本体は上筐体１と下筐体２によって構成され、上筐体１と下筐体２によって構成されている携帯通信機本体の内部にはプリント基板３が設置されており、プリント基板３には電子部品４が実装されている。
【０２７７】
またプリント基板３にはキーシート５およびボタン６が実装されている。
【０２７８】
電子部品４の表面には放熱板７の一端部が取り付けられており、放熱板７のもう一方の端部は図３の一点鎖線で囲まれた部分に示すように、ハンドストラップ９の端部とカシメによりる取り付け構造で緊密に締め付けることで、放熱板７からハンドストラップ９への熱の伝導率を良くしている構成にしている。
【０２７９】
次に、本発明の第３の実施の形態の動作について、図１および図３を参照して詳細に説明する。
【０２８０】
携帯通信機の電源ＯＮ時には電子部品４が動作し、電子部品４が動作したことにより発生した熱は電子部品４の表面に取り付けられた放熱板７を介してハンドストラップ９へ伝えて筐体の外部に放熱する。
【０２８１】
この放熱板７は銅やアルミニウム、セラミックスなどのような熱伝導性に優れた材料であることが望ましい。
【０２８２】
またハンドストラップ９も熱伝導性に優れたカーボン繊維などの材料であることが望ましい。
【０２８３】
このような構造にすることにより電子部品４が動作したことにより発生した熱がプリント基板３、キーシート５、ボタン６等を介して上筐体１の表面に伝わっていたが、放熱板７の方に熱が伝達するため、上筐体１の表面への熱の伝導を最小限に抑えることができる。
【０２８４】
また、放熱板７の方に伝達された熱は、放熱板７の端部が下筐体と接触していることから、伝達された熱は下筐体２の方にも伝達されるが、放熱板７と下筐体２の接触面が小さいため下筐体２の表面に伝わる熱の伝導は少なく、下筐体２の表面温度を低く抑えることが可能である。
【０２８５】
またハンドストラップ９は、落下防止のために取り付けておくものであり、常に上筐体１および下筐体２より外部に出ているものであり、空気中にさらされているものであるため、空気に触れる面積も大きくなりより効果的に放熱することができる。
【０２８６】
またこのハンドストラップ９をユーザが故意に振り回すことによって強制空冷となり、より放熱効果が高まる。
【０２８７】
またハンドストラップ９は常に装置本体外に出ているものであり故意に水につけても携帯通信機本体の動作には影響はないため、水冷するということも可能である。
【０２８８】
以上のように、本発明の第３の実施の形態によるように、電子部品４の表面に放熱板７の一端部を取り付け、放熱板７のもう一方の端部はハンドストラップ９の端部とカシメによりる取り付け構造で緊密に締め付けることで、放熱板７からハンドストラップ９への熱の伝導率を良くしている構成にして、熱伝導性に優れた材料でありしかも材料に被覆をしないで放熱効果を上げたハンドストラップ９を装着した携帯通信機の放熱構造を構成することにより、特別な放熱構造を設けることなく、筐体表面温度による操作時の不快感を解消する携帯通信機および携帯通信機の放熱方法を提供できる。
【０２８９】
次に、本発明の第４の実施の形態について、図１および図４を参照して詳細に説明する。
【０２９０】
図４は本発明の携帯通信機および携帯通信機の放熱方法の第３の実施の形態の一実施の形態の携帯通信機の放熱構造を示す携帯通信機の放熱構造図である。
【０２９１】
図１を参照すると、携帯通信機本体は上筐体１と下筐体２によって構成され、上筐体１と下筐体２によって構成されている携帯通信機本体の内部にはプリント基板３が設置されており、プリント基板３には電子部品４が実装されている。
【０２９２】
またプリント基板３にはキーシート５およびボタン６が実装されている。
【０２９３】
電子部品４の表面には放熱板７の一端部が取り付けられており、放熱板７のもう一方の端部は図４に示すように、放熱機能を備えたアンテナ１０が取り付けられている。
【０２９４】
携帯通信機の内部の電子部品４のからの熱は放熱板７を伝達しアンテナ１０により外部に放熱される構成にしている。
【０２９５】
次に、本発明の第４の実施の形態の動作について、図１および図４を参照して詳細に説明する。
【０２９６】
携帯通信機の電源ＯＮ時には電子部品４が動作し、電子部品４が動作したことにより発生した熱は電子部品４の表面に取り付けられた放熱板７を介してアンテナ１０へ伝えて筐体の外部に放熱する。
【０２９７】
この放熱板７は銅やアルミニウム、セラミックスなどのような熱伝導性に優れた材料であることが望ましい。
【０２９８】
またアンテナ１０も銅やアルミニウムのような金属の熱伝導性に優れた材料であることが望ましい。
【０２９９】
このような構造にすることにより電子部品４が動作したことにより発生した熱がプリント基板３、キーシート５、ボタン６等を介して上筐体１の表面に伝わっていたが、放熱板７の方に熱が伝達するため、上筐体１の表面への熱の伝導を最小限に抑えることができる。
【０３００】
また、放熱板７の方に伝達された熱は、放熱板７の端部が下筐体と接触していることから、伝達された熱は下筐体２の方にも伝達されるが、放熱板７と下筐体２の接触面が小さいため下筐体２の表面に伝わる熱の伝導は少なく、下筐体２の表面温度を低く抑えることが可能である。
【０３０１】
以上のように、本発明の第４の実施の形態によるように、電子部品４の表面に放熱板７の一端部を取り付け、放熱板７のもう一方の端部はアンテナ１０を取り付けた構造で、電子部品４が動作したことにより発生した熱は電子部品４の表面に取り付けられた放熱板７を介してアンテナ１０へ伝えて筐体の外部に放熱する構成にして、携帯通信機の放熱構造を構成することにより、特別な放熱構造を設けることなく、筐体表面温度による操作時の不快感を解消する携帯通信機および携帯通信機の放熱方法を提供できる。
【図面の簡単な説明】
【０３０２】
【図１】本発明の携帯通信機および携帯通信機の放熱方法の第１の実施の形態の一実施の形態の携帯通信機の放熱構造を示す携帯通信機の断面図である。
【図２】本発明の携帯通信機および携帯通信機の放熱方法の第２の実施の形態の一実施の形態の携帯通信機の放熱構造を示す携帯通信機の放熱構造図である。
【図３】本発明の携帯通信機および携帯通信機の放熱方法の第３の実施の形態の一実施の形態の携帯通信機の放熱構造を示す携帯通信機の放熱構造図である。
【図４】本発明の携帯通信機および携帯通信機の放熱方法の第４の実施の形態の一実施の形態の携帯通信機の放熱構造を示す携帯通信機の放熱構造図である。
【符号の説明】
【０３０３】
１    上筐体
２    下筐体
３    プリント基板
４    電子部品
５    キーシート
６    ボタン
７    放熱板
８    ピン
９    ハンドストラップ
１０    アンテナ
２０    シリンダピース
【図１】
2005244493.tif 000003
【図２】
2005244493.tif 000004
【図３】
2005244493.tif 000005
【図４】
2005244493.tif 000006